(57)【要約】      （修正有）【課題】支柱となる丸パイプの任意の高さの側部に他の丸パイプを簡単に接続することができ、しかも十分な強度を有する構造体の接続部材を提供する。【解決手段】接続部材１は、円筒形状の第１の端部に設けられた円弧状の切り欠き部２と、切り欠き部２の底部２ａに設けられた円筒の軸に垂直な端面壁とを有し、第１の端部と逆側の第２の端部側において外径が第１の端部側よりも小さくなっていて、丸パイプの任意の高さの側部に切り欠き部２をはめ込むことにより接続し、他端部側に他の丸パイプを接続する。【選択図】図２
0003191035.tif 000002
【実用新案登録請求の範囲】
【請求項１】
円筒形状の第１の端部に設けられた円弧状の切り欠き部と、切り欠き部の底部に設けられた円筒の軸に垂直な端面壁とを有し、第１の端部とは逆側の第２の端部側において外径が第１の端部側よりも小さくなった接続部材。
【請求項２】
円筒形状の第１の端部に設けられた円弧状の切り欠き部と、切り欠き部の底部に設けられた円筒の軸に垂直な端面壁とを有し、第１の端部逆側の第２の端部側において外径が第１の端部側よりも小さくなった第１の接続部材と、
略直方体であり、各面の中央部にねじ穴を有する第２の接続部材とを有する接続部材セット。
【請求項３】
円筒形状の第１の端部に設けられた円弧状の切り欠き部と、切り欠き部の底部に設けられた円筒の軸に垂直な端面壁とを有し、第１の端部逆側の第２の端部側において外径が第１の端部側よりも小さくなった第１の接続部材と、
略直方体であり、各面の中央部にねじ穴を有する第２の接続部材と、
鉛直方向に設けられる支柱パイプと、
水平方向に設けられる梁パイプと、
メッシュシートを有し、
各支柱パイプの上端部には第２の接続部材が設けられ、この第２の接続部材の間に梁パイプが接続され、
各支柱パイプの中間部には第１の接続部材が設けられ、この第１の接続部材の間にも梁パイプが接続され、
支柱パイプと梁パイプで構成される枠にメッシュシートが取り付けられた空調室外機カバー。
【考案の詳細な説明】
【技術分野】
【０００１】
この考案は、棒状の構造体同士を接続するための接続部材に関する。また、接続部材を使用した空調室外機カバーに関する。
【背景技術】
【０００２】
特許文献１には、トラス構造物用の接点部材が記載されている。球状の接点部材本体には、さまざまな方向に向けて１６個のネジ部が設けられ、さらにパネル材を取り付けるアームが設けられている。
特許文献２および特許文献３には、空調装置の室外機の日除け部材が記載されている。いずれも、室外機の匡体に取り付け部材を設け、天面や側面を覆うカバーとうなる部材を固定している。  
【先行技術文献】
【特許文献】
【０００３】
【特許文献１】特開平１０−１９５９７８
【特許文献２】特開２０１３−２４９９８４
【特許文献３】特開２０１３−１９５９３
【考案の概要】
【考案が解決しようとする課題】
【０００４】
空調装置には室外機が必要であり、建物の周辺部やベランダなどによく設置される。冷房時においてはこれら室外機は加熱され、さらに日射を受ければ相当に熱くなる。こうして、室外機の温度が上がると熱を排出しにくくなり、空調装置の効率が低下し、多くの電力を消費する。
【０００５】
特許文献２や特許文献１に記載された日除け部材であれば、室外機の一部を遮光することはできる。しかし、日射の方向は時間とともに変化するので、これらの日除け部材では、室外機の全体を一日に渡って遮光することはできない。また、室外機の匡体に直接取り付けるため、日除け部材と室外機との間隔を大きく取ることができず、室外機の熱を十分に逃がしにくい。そこで、室外機全体を覆うことができる構造体が望まれる。
【０００６】
空調設備はその規模に応じてさまざまな大きさ・形状のものがあり、また、設置される場所により、日除け部材の形状や設置方法が柔軟に選択できることが好ましい。屋外に設置するものであるから、風に耐えられるだけの強度も必要である。しかし、そのような用途に適した構造体や、そのための接続部材は見当たらない。たとえば、特許文献１に記載されたトラス構造物用の接点部材では、骨組部材の先端部と接続部材の接触部が小さいため、十分な強度が得られない。また、骨組部材の先端部でしか接続できず、丸パイプの側部に他のパイプを接続するような自由度の高い選択はできない。
【０００７】
この考案は、丸パイプの側部に他の丸パイプを接続することができ、しかも十分な強度を有する接続部材を提供することを目的とする。また、形状や寸法を柔軟に選択でき、簡単に組み立てることができる遮光部材の構造体を提供することを目的とする。
【課題を解決するための手段】
【０００８】
上述の課題を解決するため、この考案の構造体の接続部材は、円筒形状の第１の端部に設けられた円弧状の切り欠き部と、切り欠き部の底部に設けられた円筒の軸に垂直な端面壁とを有し、第１の端部と逆側の第２の端部側において外径が第１の端部側よりも小さくなっている。
【０００９】
この考案の構造体の接続部材セットは、円筒形状の第１の端部に設けられた円弧状の切り欠き部と、切り欠き部の底部に設けられた円筒の軸に垂直な端面壁とを有し、第１の端部逆側の第２の端部側において外径が第１の端部側よりも小さくなった第１の接続部材と、略直方体であり、各面の中央部にねじ穴を有する第２の接続部材とを有する
【００１０】
さらに、この考案の空調室外機カバーは、円筒形状の第１の端部に設けられた円弧状の切り欠き部と、切り欠き部の底部に設けられた円筒の軸に垂直な端面壁とを有し、第１の端部逆側の第２の端部側において外径が第１の端部側よりも小さくなった第１の接続部材と、
略直方体であり、各面の中央部にねじ穴を有する第２の接続部材と、
鉛直方向に設けられる支柱パイプと、
水平方向に設けられる梁パイプと、
メッシュシートを有し、
各支柱パイプの上端部には第２の接続部材が設けられ、この第２の接続部材の間に梁パイプが接続され、
各支柱パイプの中間部には第１の接続部材が設けられ、この第１の接続部材の間にも梁パイプが接続され、
支柱パイプと梁パイプで構成される枠にメッシュシートが取り付けられている。
【考案の効果】
【００１１】
この考案の接続装置は、丸パイプの任意の側面に他の丸パイルを強固に接続することができる。したがって、梁パイプを任意の位置に設けることができ、構造体の寸法や形状を柔軟に選択することができる。また、組み立てが容易である。
【図面の簡単な説明】
【００１２】
【図１】第１の接続部材を示す正面図である。
【図２】同平面図である。
【図３】同側面図である。
【図４】同断面図である。
【図５】第２の接続部材を示す正面図である。
【図６】空調室外機カバーの骨格の構造を示す斜視図である。
【考案を実施するための形態】
【００１３】
この考案を実施するための形態について図面に基づいて説明する。図１は第１の接続部材を示す正面図、図２は同平面図、図３は同側面図、図４は同Ａ−Ａ断面図である。第１の接続部材１は概ね円筒の形状を有し、金属や強化プラスチックなど強度を有しかつ加工しやすい素材で作られる。
【００１４】
円筒形状の第１の端部（図２、図４における左側の端部）には設けられた円弧状の切り欠き部２が形成されている。この円弧は、接続されるべき相手側の丸パイプｘの外側の表面に沿うように合わせられる。十分な安定性のため、なるべく半円に近いことが好ましい。
【００１５】
切り欠き部２の底部２ａの位置には、円筒の軸に垂直な端面壁３が設けられ、端面壁３には穴４が設けられている。第１の端部とは逆側の第２の端部側（図２、図４における右側の端部）において外径ｄ１が第１の端部側の外径ｄ２のよりも小さくなっている。第２の端部側外径ｄ１は、接続されるべき別の丸パイプｙの内径とほぼ同じか、それより若干小さめになっている。一方、第１の端部側の外径ｄ２は、別の丸パイプｙの外径と同じである。また、第２の端部側の側面にはネジ通し用の穴５が設けられている。
【００１６】
つぎに、第１の接続部材を用いた丸パイプの接続方法について説明する。第１の接続部材１の切り欠き部２を丸パイプｘの側面にはめ込む。丸パイプｘの任意の位置に取り付けることができる。すなわち、丸パイプｘが垂直な支柱であれば、その任意の高さの位置に取り付けることができる。そして、第２の端部側よりタッピンねじを内部に入れ、穴４に通し丸パイプｘの側面に締め込む。なお、丸パイプｘの側面には予めドリルなどで予備穴を開けておくことが好ましい。
【００１７】
第１の接続部材１の第２の端部側は、別の丸パイプｙの内部に挿入する。そして、丸パイプｙの側面よりタッピンねじを入れ、第１の接続部材１の側面の穴５に締め込む。こうして、丸パイプｘの任意の側面に別の丸パイプｙを簡単かつ強固に接続することができる。なお、丸パイプｘは支柱である必要はなく、水平、あるいは斜めに設けられた梁パイプに対しても、その側面に取り付けることができる。
【００１８】
ついで、第２の接続部材について説明する。図５は第２の接続部材を示す正面図である。第２の接続部材７は略立方体の形状を有し、６つの面のそれぞれの中心にはネジ穴８が形成されている。この第２の接続部材７も金属や強化プラスチックなど強度のある素材で作られる。
【００１９】
第２の接続部材７を用いた構造体の接続方法について説明する。支柱や梁となる棒材の端部を第２の接続部材７のいずれかの面に当てて、ネジ穴８にネジを止めることによって棒材ｚを接続部材７に固定する。複数の面に対して棒材を取り付けることによって、複数の棒材を接続し、構造体を組み立てていくことができる。この第２の接続部材７には丸パイプのほかに角パイプなども取り付けることができる。
【００２０】
ここでは、丸パイプを第２の接続部材７に接続する例で説明する。丸パイプを接続すべき面に第３の接続部材９を中間部材として取り付ける。この第３の接続部材９は円筒状の部材であり、一方の端部には端面壁１０が設けられ、その中心にはネジ通し用の穴１１が設けられている。反対側の端部は開放状態である。そして、側面には穴１２が設けられている。この第３の接続部材９の外径は接続される丸パイプｚの内径とほぼ同じか、あるいは若干大きめである。
【００２１】
第２の接続部材７のある面に端面壁１０を当て、他端部側よりボルトを内部に入れ、穴１１に通し、第２の接続部材７のネジ穴９に締め込む。第３の接続部材７の他端部側は、丸パイプｚの内部に挿入する。そして、丸パイプｚの側面よりタッピンねじを入れ、第３の接続部材１の側面の穴１２に締め込む。こうして、丸パイプｚを第２の接続部材７に接続することができる。
【００２２】
第１の接続部材１と第２の接続部材７を組み合わせて、接続部材セットとすることにより、日除け部材を簡単に組み立てることができる。垂直な支柱と水平な梁を組み合わせて箱状の枠体を形成するとき、支柱の上端に第２の接続部材７を取り付け、この第２の接続部材７の間に梁となる部材を接続する。さらに、支柱の中間部に第１の接続部材１を取り付けて、梁を接続し、構造体を形成することができる。
【００２３】
さらに、この第１の接続部材１と第２の接続部材７を有する接続部材セットを用いた構造体について説明する。図６は空調室外機カバーの骨格の構造を示す斜視図である。長方形の四隅の位置に支柱パイプｘが設けられている。また、この四隅の支柱パイプｘの間にも支柱パイプｘが設けられている。この支柱パイプｘは丸パイプである。
【００２４】
各支柱パイプｘの上端には、第２の接続部材７が取り付けられている。そして、隣り合う各支柱パイプｘの第２の接続部材７の間には、梁パイプｚが接続されている。この梁パイプｚは丸パイプでもよければ、角パイプなど他の棒材であってもよい。この支柱パイプｘと梁パイプｚにより直方体状の外形が形成される。
【００２５】
各支柱パイプｘの中間の高さには、第１の接続部材１と梁パイプｙが接続される。こうして、支柱パイプｘおよび梁パイプｙ，ｚにより格子状の骨格が形成される。第１の接続部材１と第２の接続部材７を介したパイプの接続は簡単であり、短時間で実施できる。しかも、第２の接続部材７の設置高さや設置数は自由に選択でき、覆うべき室外機の形状や設置場所の条件に合わせて、最適な骨格を得ることができる。特に、第１の接続部材１を介した接続は強固であり、安定している。
【００２６】
こうして、支柱パイプｘおよび梁パイプｙ，ｚにより枠体が形成されるので、この枠に遮光材となる面材を取り付けることができる。空調室外機カバーの場合、遮光性のメッシュシートを使用すれば、通気性もよく適している。
【００２７】
この発明の接続部材を使用した日除け部材として、テントに適用することもできる。この場合、全ての枠に遮光材となる面材を取り付ける必要はなく、上面および日射方向の側面のみに取り付け、他の面は開放すればよい。
【符号の説明】
【００２８】
１．第１の接続部材
２．切り欠き部 
３．端面壁
４．ねじ通し穴
５．穴
７．第２の接続部材
８．ねじ穴
９．第３の接続部材
１０．端面壁
１１．ねじ通し穴
１２．穴
ｘ．支柱パイプ
ｙ．梁パイプ
ｚ．梁パイプ
【図１】
0003191035.tif 000003
【図２】
0003191035.tif 000004
【図３】
0003191035.tif 000005
【図４】
0003191035.tif 000006
【図５】
0003191035.tif 000007
【図６】
0003191035.tif 000008